【誤訳訂正書】
【提出日】平成22年2月25日(2010.2.25)
【誤訳訂正１】
【訂正対象書類名】特許請求の範囲
【訂正対象項目名】全文
【訂正方法】変更
【訂正の内容】
【特許請求の範囲】
【請求項１】
アノードおよびカソード、前記アノードと前記カソードとの間に配置されたイオン透過性セパレータ、および非水性媒体中にイオン的に導電性の塩を含んでなる非水性電解質を含んでなる非水性電流発生電気化学的電池であって、前記イオン的に導電性の塩が、式
Ｍ＋（Ｚ＊（Ｊ＊）ｊ（Ｘ＊）ｘ）−
（式中、
Ｍはリチウム原子であり、
Ｚ＊は、２つ以上のルイス塩基性箇所を含み、５０個未満の、水素原子を含まない原子を含んでなる陰イオン基であり、
Ｊ＊は、互いに独立して、Ｚ＊の少なくとも１つのルイス塩基性箇所に配位したルイス酸であり、所望により２個以上のその様なＪ＊基が、複数のルイス酸性官能基を有する部分中で一つに結合していることができ、
Ｘ＊は、互いに独立して、Ｈ、Ｃ１〜Ｃ４アルキル、アルコキシド、ハロゲン化物、およびそれらの混合物からなる群から選択され、
ｊは２〜１２の整数であり、
ｘは０〜４の整数である）
に対応し、
Ｚ＊が、シアニドアニオン、アジドアニオン、アミドアニオン、アミジニドアニオン、置換されたアミジニドアニオン、ジシアナミドアニオン、イミダゾリドアニオン、置換されたイミダゾリドアニオン、イミダゾリニドアニオン、置換されたイミダゾリニドアニオン、ベンゾイミダゾリドアニオン、置換されたベンゾイミダゾリドアニオン、トリシアノメチドアニオン、テトラシアノボレートアニオン、プリド(puride) アニオン、スクアレート(squarate) アニオン、１，２，３−トリアゾリドアニオン、置換された１，２，３−トリアゾリドアニオン、１，２，４−トリアゾリドアニオン、置換された１，２，４−トリアゾリドアニオン、ピリミジニドアニオン、置換されたピリミジニドアニオン、テトライミダゾイルボレートアニオン、置換されたテトライミダゾイルボレートアニオン、トリス（イミダゾイル）フルオロボレートアニオン、置換されたトリス（イミダゾイル）フルオロボレートアニオン、ビス（イミダゾイル）ジフルオロボレートアニオン、置換されたビス（イミダゾイル）ジフルオロボレートアニオンおよびそれらの混合物からなる群から選択され、その際、各置換基が、存在する場合、ハロ、ヒドロカルビル、ハロヒドロカルビル、シリル、シリルヒドロカルビル、水素を数えずに２０原子までのハロカルビル基およびそれらの混合物からなる群から選択され、２個の置換基が、存在する場合、一緒に飽和または不飽和環系を形成するものであり、
Ｊ＊が、
【化１】
2005536832.tif 000001
（式中、
Ｍ＊は、アルミニウムまたはホウ素であり、
Ｒ１は、互いに独立して、ハロゲン化物、アルキル、アリール、アルコキシド、アリールオキシド、ジアルキルアミド、ハロゲン化アルキル、ハロゲン化アリール、ハロゲン化アルコキシド、ハロゲン化アリールオキシド、およびそれらの混合物からなる群から選択され、前記Ｒ１は２０個までの炭素原子を有し、
Ａｒｆ１−Ａｒｆ２の組合せは、独立して、６〜２０個の炭素原子を有する２価の芳香族基である）
からなる群から選択された式を有するルイス酸、ならびにそれらの混合物である、
する、非水性電流発生電気化学的電池。
【請求項２】
Ｚ＊が、イミダゾリド、２−メチルイミダゾリド、４−メチルイミダゾリド、ベンゾイミダゾリド、ジメチルアミド、およびそれらの混合物からなる群から選択される、請求項１に記載の非水性電流発生電気化学的電池。
【請求項３】
Ｊ＊が、式
ＢＲ１３またはＡｌＲ１３
（式中、Ｒ１は、ハロゲン、Ｃ１−２０アルキル、ハロゲン化アルキル、アルコキシド、アリールオキシド、フッ素化アルコキシド、フッ素化アリールオキシド、およびそれらの混合物からなる群から選択される）
に対応する、請求項１または２に記載の非水性電流発生電気化学的電池。
【請求項４】
Ｒ１がハロゲンである、請求項３に記載の非水性電流発生電気化学的電池。
【請求項５】
Ｒ１が、フッ素化アルキルおよびフッ素化アリール、およびそれらの混合物からなる群から選択される、請求項３に記載の非水性電流発生電気化学的電池。
【請求項６】
Ｒ１が、フッ素化アルコキシドおよびフッ素化アリールオキシド、およびそれらの混合物からなる群から選択される、請求項３に記載の非水性電流発生電気化学的電池。
【請求項７】
Ｊ＊がＢＦ３である、請求項３に記載の非水性電流発生電気化学的電池。
【請求項８】
Ｒ１が、ＣＨ２ＣＦ３、Ｃ６Ｆ５、（ＣＦ３）２Ｃ６Ｈ３、およびそれらの混合物からなる群から選択される、請求項３に記載の非水性電流発生電気化学的電池。
【請求項９】
Ｒ１が、ＣＦ３ＣＨ２Ｏ、Ｃ３Ｆ７ＣＨ２Ｏ、（ＣＦ３）２ＣＨＯ、（ＣＦ３）２（ＣＨ３）ＣＯ、（ＣＦ３）２（Ｃ６Ｈ５）ＣＯ、（ＣＦ３）３ＣＯ、ＦＣ６Ｈ４Ｏ、Ｆ２Ｃ６Ｈ３Ｏ、Ｆ３Ｃ６Ｈ２Ｏ、Ｆ４Ｃ６ＨＯ、Ｃ６Ｆ５Ｏ、（ＣＦ３）Ｃ６Ｈ４Ｏ、または（ＣＦ３）２Ｃ６Ｈ３Ｏ、およびそれらの混合物からなる群から選択される、請求項６に記載の非水性電流発生電気化学的電池。
【請求項１０】
前記イオン的に導電性の塩が、リチウムビス（トリフルオロボラン）イミダゾリド、リチウムビス（トリフルオロボラン）−２−メチルイミダゾリド、リチウムビス（トリフルオロボラン）−４−メチルイミダゾリド、リチウムビス（トリフルオロボラン）−２−イソプロピルイミダゾリド、リチウムビス（トリフルオロボラン）ベンズイミダゾリド、リチウムビス（トリフルオロボラン）ジメチルアミド、リチウムビス（トリフルオロボラン）ジイソプロピルアミド、リチウムビス（トリメトキシボラン）イミダゾリド、リチウムビス（トリメトキシボラン）−２−メチルイミダゾリド、リチウムビス（トリメトキシボラン）−４−メチルイミダゾリド、リチウムビス（トリメトキシボラン）−２−イソプロピルイミダゾリド、リチウムビス（トリメトキシボラン）ベンズイミダゾリド、リチウムビス（トリメトキシボラン）ジメチルアミド、リチウムビス（トリメトキシボラン）ジイソプロピルアミド、リチウムテトラキス（トリフルオロボラン）テトライミダゾイルボレート、リチウムトリス（トリフルオロボラン）トリイミダゾイルフルオロボレート、リチウムビス（トリフルオロボラン）ジイミダゾイルジフルオロボレート、リチウムテトラキス（トリフルオロボラン）テトラキス（ジメチルアミノ）ボレート、リチウムトリス（トリフルオロボラン）トリス（ジメチルアミノ）フルオロボレート、リチウムビス（トリフルオロボラン）ビス（ジメチルアミノ）ジフルオロボレート、およびそれらの混合物からなる群から選択されたリチウム塩である、請求項１に記載の非水性電流発生電気化学的電池。
【請求項１１】
前記アノードが、リチウム金属、リチウム合金、炭素およびグラファイトのリチウム金属挿入化合物、リチウム金属挿入金属酸化物、リチウム金属挿入金属カルコゲニド、およびそれらの混合物からなる群から選択される、請求項１に記載の非水性電流発生電気化学的電池。
【請求項１２】
前記カソードが、遷移金属酸化物、遷移金属カルコゲニド、ポリ（カーボンジスルフィド）重合体、オルガノ−ジスルフィドレドックス重合体、ポリアニリン、オルガノジスルフィド／ポリアニリン複合材料および遷移金属オキシスルフィド、およびそれらの混合物からなる群から選択される、請求項１に記載の非水性電流発生電気化学的電池。
【請求項１３】
前記非水性媒体が、非水性液体極性溶剤、固体重合体および重合体ゲルからなる群から選択される、請求項１に記載の非水性電流発生電気化学的電池。
【請求項１４】
前記非水性液体極性溶剤が、エーテル、エステル、カーボネート、スルホン、ニトリル、ホルメート、ラクトン、およびそれらの混合物からなる群から選択された有機溶剤である、請求項１３に記載の非水性電流発生電気化学的電池。
【請求項１５】
前記非水性媒体が、エチレンカーボネート、プロピレンカーボネート、および一般式Ｒ１ＯＣＯＯＲ２のジアルキルカーボネートからなる群から選択され、Ｒ１およびＲ２が、独立してＣ１〜Ｃ４アルキルから選択される、請求項１３に記載の非水性電流発生電気化学的電池。
【請求項１６】
前記非水性媒体が、ジメチルカーボネート、ジエチルカーボネート、エチルメチルカーボネート、エチレンカーボネート、プロピレンカーボネート、およびそれらの混合物からなる群から選択される、請求項１３に記載の非水性電流発生電気化学的電池。
【請求項１７】
前記非水性媒体が、ジエチルエーテル、１，２−ジメトキシエタン、テトラヒドロフラン、ジオキサン、およびそれらの混合物からなる群から選択されたエーテルである、請求項１３に記載の非水性電流発生電気化学的電池。
【請求項１８】
前記ラクトンがガンマ−ブチロラクトンである、請求項１３に記載の非水性電流発生電気化学的電池。
【請求項１９】
前記セパレータが、微細孔質ポリエチレンフィルムまたは多孔質ガラスメンブレンである、請求項１に記載の非水性電流発生電気化学的電池。
【請求項２０】
電流発生電気化学的電池用の、非水性媒体中にイオン的に導電性の塩を含んでなる非水性電解質であって、前記イオン的に導電性の塩が、式
Ｍ＋（Ｚ＊（Ｊ＊）ｊ（Ｘ＊）ｘ）−
（式中、
Ｍはリチウム原子であり、
Ｚ＊は、２つ以上のルイス塩基性箇所を含み、５０個未満の、水素原子を含まない原子を含んでなる陰イオン基であり、
Ｊ＊は、互いに独立して、Ｚ＊の少なくとも１つのルイス塩基性箇所に配位したルイス酸であり、所望により２個以上のその様なＪ＊基が、複数のルイス酸性官能基を有する部分中で一つに結合していることができ、
Ｘ＊は、互いに独立して、Ｈ、Ｃ１〜Ｃ４アルキル、アルコキシド、ハロゲン化物、およびそれらの混合物からなる群から選択され、
ｊは２〜１２の整数であり、
ｘは０〜４の整数である）
に対応し、
Ｚ＊が、シアニドアニオン、アジドアニオン、アミドアニオン、アミジニドアニオン、置換されたアミジニドアニオン、ジシアナミドアニオン、イミダゾリドアニオン、置換されたイミダゾリドアニオン、イミダゾリニドアニオン、置換されたイミダゾリニドアニオン、ベンゾイミダゾリドアニオン、置換されたベンゾイミダゾリドアニオン、トリシアノメチドアニオン、テトラシアノボレートアニオン、プリド(puride) アニオン、スクアレート(squarate) アニオン、１，２，３−トリアゾリドアニオン、置換された１，２，３−トリアゾリドアニオン、１，２，４−トリアゾリドアニオン、置換された１，２，４−トリアゾリドアニオン、ピリミジニドアニオン、置換されたピリミジニドアニオン、テトライミダゾイルボレートアニオン、置換されたテトライミダゾイルボレートアニオン、トリス（イミダゾイル）フルオロボレートアニオン、置換されたトリス（イミダゾイル）フルオロボレートアニオン、ビス（イミダゾイル）ジフルオロボレート、置換されたビス（イミダゾイル）ジフルオロボレートアニオン、およびそれらの混合物からなる群から選択され、その際、各置換基が、存在する場合、ハロ、ヒドロカルビル、ハロヒドロカルビル、シリル、シリルヒドロカルビル、および水素を数えずに２０原子までのハロカルビル基からなる群から選択され、２個の置換基が、存在する場合、一緒に飽和または不飽和環系を形成するものであり、
Ｊ＊が、
【化２】
2005536832.tif 000002
（式中、
Ｍ＊は、アルミニウムまたはホウ素であり、
Ｒ１は、互いに独立して、ハロゲン化物、アルキル、アリール、アルコキシド、アリールオキシド、ジアルキルアミド、ハロゲン化アルキル、ハロゲン化アリール、ハロゲン化アルコキシド、ハロゲン化アリールオキシド、およびそれらの混合物からなる群から選択され、前記Ｒ１は２０個までの炭素原子を有し、
Ａｒｆ１−Ａｒｆ２の組合せは、独立して、６〜２０個の炭素原子を有する２価の芳香族基である）
からなる群から選択されたルイス酸、およびそれらの混合物である、非水性電解質。
【請求項２１】
Ｚ＊が、イミダゾリド、２−メチルイミダゾリド、４−メチルイミダゾリド、ベンゾイミダゾリド、ジメチルアミド、およびそれらの混合物からなる群から選択される、請求項２０に記載の非水性電解質。
【請求項２２】
Ｊ＊が、式
ＢＲ１３またはＡｌＲ１３
（式中、Ｒ１は、ハロゲン、Ｃ１−２０アルキル、ハロゲン化アルキル、アルコキシド、アリールオキシド、フッ素化アルコキシド、フッ素化アリールオキシド、およびそれらの混合物からなる群から選択される）
に対応する、請求項２０または２１に記載の非水性電解質。
【請求項２３】
Ｒ１がハロゲンである、請求項２２に記載の非水性電解質。
【請求項２４】
Ｒ１が、フッ素化アルキルおよびフッ素化アリール、およびそれらの混合物からなる群から選択される、請求項２２に記載の非水性電解質。
【請求項２５】
Ｒ１が、フッ素化アルコキシドおよびフッ素化アリールオキシド、およびそれらの混合物からなる群から選択される、請求項２２に記載の非水性電解質。
【請求項２６】
Ｊ＊がＢＦ３である、請求項２２に記載の非水性電解質。
【請求項２７】
Ｒ１が、ＣＨ２ＣＦ３、Ｃ６Ｆ５、（ＣＦ３）２Ｃ６Ｈ３、およびそれらの混合物からなる群から選択される、請求項２２に記載の非水性電解質。
【請求項２８】
Ｒ１が、ＣＦ３ＣＨ２Ｏ、Ｃ３Ｆ７ＣＨ２Ｏ、（ＣＦ３）２ＣＨＯ、（ＣＦ３）２（ＣＨ３）ＣＯ、（ＣＦ３）２（Ｃ６Ｈ５）ＣＯ、（ＣＦ３）３ＣＯ、ＦＣ６Ｈ４Ｏ、Ｆ２Ｃ６Ｈ３Ｏ、Ｆ３Ｃ６Ｈ２Ｏ、Ｆ４Ｃ６ＨＯ、Ｃ６Ｆ５Ｏ、（ＣＦ３）Ｃ６Ｈ４Ｏ、（ＣＦ３）２Ｃ６Ｈ３Ｏ、およびそれらの混合物からなる群から選択される、請求項２５に記載の非水性電解質。
【請求項２９】
前記イオン的に導電性の塩が、リチウムビス（トリフルオロボラン）イミダゾリド、リチウムビス（トリフルオロボラン）−２−メチルイミダゾリド、リチウムビス（トリフルオロボラン）−４−メチルイミダゾリド、リチウムビス（トリフルオロボラン）−２−イソプロピルイミダゾリド、リチウムビス（トリフルオロボラン）ベンズイミダゾリド、リチウムビス（トリフルオロボラン）ジメチルアミド、リチウムビス（トリフルオロボラン）ジイソプロピルアミド、リチウムビス（トリメトキシボラン）イミダゾリド、リチウムビス（トリメトキシボラン）−２−メチルイミダゾリド、リチウムビス（トリメトキシボラン）−４−メチルイミダゾリド、リチウムビス（トリメトキシボラン）−２−イソプロピルイミダゾリド、リチウムビス（トリメトキシボラン）ベンズイミダゾリド、リチウムビス（トリメトキシボラン）ジメチルアミド、リチウムビス（トリメトキシボラン）ジイソプロピルアミド、リチウムテトラキス（トリフルオロボラン）テトライミダゾイルボレート、リチウムトリス（トリフルオロボラン）トリイミダゾイルフルオロボレート、リチウムビス（トリフルオロボラン）ジイミダゾイルジフルオロボレート、リチウムテトラキス（トリフルオロボラン）テトラキス（ジメチルアミノ）ボレート、リチウムトリス（トリフルオロボラン）トリス（ジメチルアミノ）フルオロボレート、リチウムビス（トリフルオロボラン）ビス（ジメチルアミノ）ジフルオロボレート、およびそれらの混合物からなる群から選択されたリチウム塩である、請求項２０に記載の非水性電解質。
【請求項３０】
前記非水性媒体が、非水性液体極性溶剤、固体重合体および重合体ゲルからなる群から選択される、請求項２０に記載の非水性電解質。
【請求項３１】
前記非水性液体極性溶剤が、エーテル、エステル、カーボネート、スルホン、ニトリル、ホルメート、ラクトン、およびそれらの混合物からなる群から選択された有機溶剤である、請求項３０に記載の非水性電解質。
【請求項３２】
前記有機溶剤が、エチレンカーボネート、プロピレンカーボネート、および一般式Ｒ１ＯＣＯＯＲ２のジアルキルカーボネートからなる群から選択され、Ｒ１およびＲ２が、独立してＣ１〜Ｃ４アルキルから選択される、請求項３１に記載の非水性電解質。
【請求項３３】
前記ジアルキルカーボネートが、ジメチルカーボネート、ジエチルカーボネート、エチルメチルカーボネート、エチレンカーボネート、プロピレンカーボネート、およびそれらの混合物からなる群から選択される、請求項３２に記載の非水性電解質。
【請求項３４】
前記有機溶剤が、ジエチルエーテル、１，２−ジメトキシエタン、テトラヒドロフラン、ジオキサン、およびそれらの混合物からなる群から選択されたエーテルである、請求項３２に記載の非水性電解質。
【請求項３５】
前記ラクトンがガンマ−ブチロラクトンである、請求項３２に記載の非水性電解質。
【請求項３６】
リチウム電気化学的電池用非水性電解質中のイオン的に導電性の塩として有用な化合物であって、式
Ｍ＋（Ｚ＊（Ｊ＊）ｊ（Ｘ＊）ｘ）−
（式中、
Ｍはリチウム原子であり、
Ｚ＊は、２つ以上のルイス塩基性箇所を含み、５０個未満の、水素原子を含まない原子を含んでなる陰イオン基であり、
Ｊ＊は、互いに独立して、Ｚ＊の少なくとも１つのルイス塩基性箇所に配位したルイス酸であり、所望により２個以上のその様なＪ＊基が、複数のルイス酸性官能基を有する部分中で一つに結合していることができ、
Ｘ＊は、互いに独立して、Ｈ、Ｃ１〜Ｃ４アルキル、アルコキシド、ハロゲン化物、およびそれらの混合物からなる群から選択され、
ｊは２〜１２の整数であり、
ｘは０〜４の整数である）
に対応し、
Ｚ＊が、シアニドアニオン、アジドアニオン、アミドアニオン、アミジニドアニオン、置換されたアミジニドアニオン、ジシアナミドアニオン、イミダゾリドアニオン、置換されたイミダゾリドアニオン、イミダゾリニドアニオン、置換されたイミダゾリニドアニオン、ベンゾイミダゾリドアニオン、置換されたベンゾイミダゾリドアニオン、トリシアノメチドアニオン、テトラシアノボレートアニオン、プリド(puride) アニオン、スクアレート(squarate) アニオン、１，２，３−トリアゾリドアニオン、置換された１，２，３−トリアゾリドアニオン、１，２，４−トリアゾリドアニオン、置換された１，２，４−トリアゾリドアニオン、ピリミジニドアニオン、置換されたピリミジニドアニオン、テトライミダゾイルボレートアニオン、置換されたテトライミダゾイルボレートアニオン、トリス（イミダゾイル）フルオロボレートアニオン、置換されたトリス（イミダゾイル）フルオロボレートアニオン、ビス（イミダゾイル）ジフルオロボレートアニオン、置換されたビス（イミダゾイル）ジフルオロボレートアニオン、およびそれらの混合物からなる群から選択され、その際、各置換基が、存在する場合、ハロ、ヒドロカルビル、ハロヒドロカルビル、シリル、シリルヒドロカルビル、および水素を数えずに２０原子までのハロカルビル基からなる群から選択され、２個の置換基が、存在する場合、一緒に飽和または不飽和環系を形成するものであり、
Ｊ＊が、
【化３】
2005536832.tif 000003
（式中、
Ｍ＊は、アルミニウムまたはホウ素であり、
Ｒ１は、互いに独立して、ハロゲン化物、アルキル、アリール、アルコキシド、アリールオキシド、ジアルキルアミド、ハロゲン化アルキル、ハロゲン化アリール、ハロゲン化アルコキシド、ハロゲン化アリールオキシド、およびそれらの混合物からなる群から選択され、前記Ｒ１は２０個までの炭素原子を有し、
Ａｒｆ１−Ａｒｆ２の組合せは、独立して、６〜２０個の炭素原子を有する２価の芳香族基である）
からなる群から選択されたルイス酸、およびそれらの混合物である、化合物。
【誤訳訂正２】
【訂正対象書類名】明細書
【訂正対象項目名】００１４
【訂正方法】変更
【訂正の内容】
【００１４】
非常に好ましいルイス酸は、ＢＲ１３およびＡｌＲ１３であり、その際、Ｒ１は、互いに独立して、ハロゲン、アルコキシド、フッ素化アルコキシド、ハロゲン化アルキル、ハロゲン化アリール、およびそれらの混合物からなる群から選択され、Ｒ１は２０個までの炭素原子を有する。より好ましい実施態様では、Ｒ１はフッ素原子である。
【誤訳訂正３】
【訂正対象書類名】明細書
【訂正対象項目名】００２６
【訂正方法】変更
【訂正の内容】
【００２６】
次いでカソード組立構造をアノード組立構造と、２個の組立構造の間に多孔質の非導電性セパレータを挟んで組み合わせる。好適な多孔質の非導電性セパレータ材料としては、例えば微細孔質ポリエチレンフィルムおよび多孔質ガラスメンブレンがある。高電圧の再充電可能な電池を構築する好ましい方法は、材料が空気中で安定しているので、放電した状態のカソードで行う。炭素質アノード材料を使用するＬｉイオン電池では、この材料も組立の際に放電した状態にある。次いで、層状の組立構造を、電池の端子として作用し得る金属支柱の周りに巻き付ける。あるいは、これらの層の幾つかを一緒に組み立て、プリズム型電池を形成することができる。電池中に電極材料を組み立てた後、塩が溶解している電解質溶液を加える。次いで電池容器に蓋をする。
【誤訳訂正４】
【訂正対象書類名】明細書
【訂正対象項目名】００３３
【訂正方法】変更
【訂正の内容】
【００３３】
ＥＣ：ＤＭＣ：ＤＥＣの１：１：１（重量で）溶剤混合物中のＬｉＩｍ（ＢＦ３）２の１Ｍ電解質溶液を使用する試験電池を製造した。カソードは、遷移金属酸化物粉末、炭素質導電性希釈剤、およびポリフッ化ビニリデン（ＰＶＤＦ）結合剤の混合物を含んでなり、これをアルミニウムホイル上に一様に塗布したものである。使用した遷移金属酸化物粉末はＬｉＮｉ０．８Ｃｏ０．２Ｏ２である。アノードは、リチウム金属または炭素質粉末、炭素質導電性希釈剤、およびＰＶＤＦ結合剤を含んでなり、これを銅ホイル上に一様に塗布したものである。Setela（登録商標）微細孔質ポリエチレンフィルムをセパレータとして使用し、アノードとカソード電極間の電気的接触を防止した。使用可能な他のセパレータ材料には、例えば多孔質ガラスメンブレンがある。アノード用にリチウム金属を含む電池を、数滴の電解質、およびリチウムとカソード材料の間に挟んだセパレータを含むボタン電池形状に製造した。Ｌｉイオン電池は、ＭＣＭＢカーボンを活性アノードに、ＬｉＮｉ０．８Ｃｏ０．２Ｏ２をカソード用の遷移金属酸化物として使用して製造した。電解質は、グローブボックスの内側で電池に加えた。理論的容量は、７．６５アンペア−時間（Ａｈ）であった。電池を、形成工程が完了した後、ステンレス鋼製の缶の内側に気密に密封した。